Podtech/llm-jp-corpus-v4-ja_patent huggingface dataset:
【手続補正書】
【提出日】平成22年5月12日(2010.5.12)
【手続補正１】
【補正対象書類名】明細書
【補正対象項目名】００７３
【補正方法】変更
【補正の内容】
【００７３】
したがって、診断開始前に予めコンデンサの充放電を実行する必要なく、コンデンサの状態に応じて適切なリレーの診断を短時間で可能な電源装置を実現することができる。
【手続補正２】
【補正対象書類名】明細書
【補正対象項目名】００９７
【補正方法】変更
【補正の内容】
【００９７】
また、上述した第１及び第２の実施形態において、複数のリレーの故障診断は、マイコンＥ３，Ｅ４が電源装置の立ち上げ時に実行可能である。これは、本電源装置は、診断開始前に予めコンデンサの放電を必要とせず、短時間で故障診断を実行可能であるからである。
【手続補正３】
【補正対象書類名】図面
【補正対象項目名】図２
【補正方法】変更
【補正の内容】
【図２】
2009259762.tif 000001
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
第１の電圧を用いて駆動が成される複数の記録素子と、前記記録素子に対応して設けられ前記記録素子の駆動のスイッチングを第２の電圧で行う複数の駆動素子とを備えた記録ヘッド用の素子基板であって、
前記第２の電圧を設定するためのデータに基づいて、前記駆動素子を動作させるための、前記第１の電圧とは異なる前記第２の電圧を前記第１の電圧を用いて発生する電圧発生回路を有することを特徴とする素子基板。
【請求項２】
前記電圧発生回路は、外部から入力される前記データの電圧を前記第２の電圧を発生するための第３の電圧に変換するデジタルアナログコンバータを有することを特徴とする請求項１に記載の素子基板。
【請求項３】
前記電圧発生回路は、外部から入力される前記データとしての記録信号に基づいて前記第２の電圧を発生することを特徴とする請求項１に記載の素子基板。
【請求項４】
前記電圧発生回路は、外部から入力される前記データとしての第２電圧設定データに基づいて前記第２の電圧を発生することを特徴とする請求項１に記載の素子基板。
【請求項５】
メモリをさらに有し、
前記メモリは、前記第２の電圧を設定するためのデータを記憶することを特徴とする請求項１または請求項２に記載の素子基板。
【請求項６】
請求項１乃至請求項５のいずれか１項に記載の素子基板を有することを特徴とする記録ヘッド。
【請求項７】
請求項６に記載の記録ヘッドと、インクを内包したインクタンクとを有することを特徴とするヘッドカートリッジ。
【請求項８】
請求項６に記載の記録ヘッドと、前記記録ヘッドに画像データを送信するためのヘッドドライバとを有することを特徴とする記録装置。
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
複数の記録素子が配列された記録素子列を夫々に有した少なくとも第１及び第２のヘッドチップを、前記第１及び第２のヘッドチップそれぞれの前記記録素子列の端部が前記複数の記録素子が配列される方向において互いに重複するように一方向にずらして配置することにより構成される記録ヘッドを用い、前記一方向とは交差する方向に記録媒体を搬送して前記記録ヘッドにより前記記録媒体に画像を記録する記録装置であって、
記録データを入力する入力手段と、
前記記録媒体を搬送する搬送手段と、
前記搬送手段により前記記録媒体を有意な長さ搬送したときに、前記第１及び第２のヘッドチップそれぞれが備える前記記録素子列が前記複数の記録素子が配列方向において重複する重複部に対応する記録領域を、前記重複部に対応する前記第１及び第２のヘッドチップそれぞれの記録素子により記録するよう、前記入力手段により入力された記録データを前記第１及び第２のヘッドチップそれぞれの前記重複部に対応する記録素子に供給するよう制御するデータ制御手段と、
前記データ制御手段による制御により供給された前記記録データに基づいて前記記録ヘッドを駆動して記録を行わせる記録制御手段と、
を有し、
前記データ制御手段は、前記重複部の一部の領域を、前記重複部に対応する前記第１及び第２のヘッドチップそれぞれの記録素子により重複して記録し、前記重複部の前記一部の領域を除く領域については、前記第１及び第２のヘッドチップそれぞれの記録素子で補完して記録するよう、前記入力手段により入力された記録データを前記第１及び第２のヘッドチップそれぞれの前記重複部に対応する記録素子に供給するよう制御することを特徴とする記録装置。
【請求項２】
前記データ制御手段は、前記第１のヘッドチップの記録素子列において、前記第１のヘッドチップに隣接する第２のヘッドチップの記録素子との重複が始まる側の記録素子の記録デューティが高く、前記重複が終了する側の記録素子の記録デューティが低くなるように前記記録データを前記記録素子に供給するよう制御することを特徴とする請求項１に記載の記録装置。
【請求項３】
前記データ制御手段は、前記第２のヘッドチップの記録素子列において、前記第２のヘッドチップに隣接する第１のヘッドチップの記録素子との重複が始まる側の記録素子の記録デューティが高く、前記重複が終了する側の記録素子の記録デューティが低くなるように前記記録データを前記記録素子に供給するよう制御することを特徴とする請求項２に記載の記録装置。
【請求項４】
前記データ制御手段は、前記重複が始まる側の記録素子から前記重複が終了する側の記録素子までの記録デューティが直線的に変化する領域を有するように前記記録データを前記記録素子に供給するよう制御することを特徴とする請求項２又は３に記載の記録装置。
【請求項５】
複数の記録素子が配列された記録素子列を夫々に有した少なくとも第１及び第２のヘッドチップを、前記第１及び第２のヘッドチップそれぞれの前記記録素子列の端部が前記複数の記録素子が配列される方向において互いに重複するように一方向にずらして配置することにより構成される記録ヘッドを用い、前記一方向とは交差する方向に記録媒体を搬送して前記記録ヘッドにより前記記録媒体に画像を記録する記録装置を用いた記録方法であって、
記録データを入力する入力工程と、
前記記録媒体を搬送する搬送工程と、
前記搬送工程により前記記録媒体を有意な長さ搬送したときに、前記第１及び第２のヘッドチップそれぞれが備える前記記録素子列が前記複数の記録素子が配列方向において重複する重複部に対応する記録領域を、前記重複部に対応する前記第１及び第２のヘッドチップそれぞれの記録素子により記録するよう、前記入力工程により入力された記録データを前記第１及び第２のヘッドチップそれぞれの前記重複部に対応する記録素子に供給するよう制御するデータ制御工程と、
前記データ制御工程による制御により供給された前記記録データに基づいて前記記録ヘッドを駆動して記録を行わせる記録制御工程と、
を有し、
前記データ制御工程は、前記重複部の一部の領域を、前記重複部に対応する前記第１及び第２のヘッドチップそれぞれの記録素子により重複して記録し、前記重複部の前記一部の領域を除く領域については、前記第１及び第２のヘッドチップそれぞれの記録素子で補完して記録するよう、前記入力工程により入力された記録データを前記第１及び第２のヘッドチップそれぞれの前記重複部に対応する記録素子に供給するよう制御することを特徴とする記録方法。
【手続補正２】
【補正対象書類名】明細書
【補正対象項目名】００２２
【補正方法】変更
【補正の内容】
【００２２】
また、他の発明は、複数の記録素子が配列された記録素子列を夫々に有した少なくとも第１及び第２のヘッドチップを、前記第１及び第２のヘッドチップそれぞれの前記記録素子列の端部が前記複数の記録素子が配列される方向において互いに重複するように一方向にずらして配置することにより構成される記録ヘッドを用い、前記一方向とは交差する方向に記録媒体を搬送して前記記録ヘッドにより前記記録媒体に画像を記録する記録装置を用いた記録方法であって、
記録データを入力する入力工程と、
前記記録媒体を搬送する搬送工程と、
前記搬送工程により前記記録媒体を有意な長さ搬送したときに、前記第１及び第２のヘッドチップそれぞれが備える前記記録素子列が前記複数の記録素子が配列方向において重複する重複部に対応する記録領域を、前記重複部に対応する前記第１及び第２のヘッドチップそれぞれの記録素子により記録するよう、前記入力工程により入力された記録データを前記第１及び第２のヘッドチップそれぞれの前記重複部に対応する記録素子に供給するよう制御するデータ制御工程と、
前記データ制御工程による制御により供給された前記記録データに基づいて前記記録ヘッドを駆動して記録を行わせる記録制御工程と、
を有し、
前記データ制御工程は、前記重複部の一部の領域を、前記重複部に対応する前記第１及び第２のヘッドチップそれぞれの記録素子により重複して記録し、前記重複部の前記一部の領域を除く領域については、前記第１及び第２のヘッドチップそれぞれの記録素子で補完して記録するよう、前記入力工程により入力された記録データを前記第１及び第２のヘッドチップそれぞれの前記重複部に対応する記録素子に供給するよう制御することを特徴とする記録方法である。
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
画像データに基づいて記録媒体にドットを記録する記録素子を複数配列して構成される記録ヘッドを前記記録媒体に対して移動する記録主走査と、該記録主走査と交差する方向に前記記録媒体を搬送する副走査とを繰り返すことにより前記記録媒体の同一画像領域に対し複数回の前記記録主走査を行うことによって画像を形成するインクジェット記録装置において、
前記画像データより、ドットの記録密度情報を検知する手段と、
該記録密度情報に応じて、前記記録主走査の走査速度および前記記録媒体の前記同一画像領域に対する前記記録主走査の走査回数を設定する設定手段と、
設定された前記走査速度および前記走査回数に従って前記記録媒体に画像を記録する記録手段と、を備え、
前記設定手段は、前記記録密度情報の値が大きいほど前記走査回数を多く且つ前記走査速度を大きく設定することを特徴とするインクジェット記録装置。
【請求項２】
前記検知手段は、単位領域内の多値の画像濃度の平均値をページ内の所定領域に含まれる範囲で複数検出する手段と、検出された前記複数の平均値の中から最大値を選択し前記記録密度情報とする手段とを備えることを特徴とする請求項１に記載のインクジェット記録装置。
【請求項３】
前記検知手段は、単位領域内に記録されるドットの記録密度をページ内の所定領域に含まれる範囲で複数検出する手段と、検出された前記複数の記録密度の中から最大値を選択し前記記録密度情報とする手段とを備えることを特徴とする請求項１に記載のインクジェット記録装置。
【請求項４】
前記所定領域とはページ内の全ての領域であり、前記記録手段は前記設定手段によって設定された１組の前記走査速度および前記走査回数に従って前記記録媒体の全ての領域に画像を記録することを特徴とする請求項２または３に記載のインクジェット記録装置。
【請求項５】
前記所定領域とは１回の前記記録主走査によって画像が記録可能な走査領域であり、前記記録手段は前記設定手段によって設定された１組の前記走査速度および前記走査回数に従って前記走査領域に画像を記録することを特徴とする請求項２または３に記載のインクジェット記録装置。
【請求項６】
画像データに基づいて記録媒体にドットを記録する記録素子を複数配列して構成される記録ヘッドを前記記録媒体に対して移動する記録主走査と、該記録主走査と交差する方向に前記記録媒体を搬送する副走査とを繰り返すことにより前記記録媒体の同一画像領域に対し複数回の前記記録主走査を行うことによって画像を形成するインクジェット記録方法において、
前記画像データより、ドットの記録密度情報を検知する工程と、
該記録密度情報に応じて、前記記録主走査の走査速度および前記記録媒体の前記同一画像領域に対する前記記録主走査の走査回数を設定する設定工程と、
設定された前記走査速度および前記走査回数に従って前記記録媒体に画像を記録する工程と、を有し、
前記設定工程は、前記記録密度情報の値が大きいほど前記走査回数を多く且つ前記走査速度を大きく設定することを特徴とするインクジェット記録方法。
【手続補正２】
【補正対象書類名】明細書
【補正対象項目名】００１３
【補正方法】変更
【補正の内容】
【００１３】
そのために本発明においては、画像データに基づいて記録媒体にドットを記録する記録素子を複数配列して構成される記録ヘッドを前記記録媒体に対して移動する記録主走査と、該記録主走査と交差する方向に前記記録媒体を搬送する副走査とを繰り返すことにより前記記録媒体の同一画像領域に対し複数回の前記記録主走査を行うことによって画像を形成するインクジェット記録装置において、前記画像データより、ドットの記録密度情報を検知する手段と、該記録密度情報に応じて、前記記録主走査の走査速度および前記記録媒体の前記同一画像領域に対する前記記録主走査の走査回数を設定する設定手段と、設定された前記走査速度および前記走査回数に従って前記記録媒体に画像を記録する記録手段と、を備え、前記設定手段は、前記記録密度情報の値が大きいほど前記走査回数を多く且つ前記走査速度を大きく設定することを特徴とする。
【手続補正３】
【補正対象書類名】明細書
【補正対象項目名】００１４
【補正方法】変更
【補正の内容】
【００１４】
また、画像データに基づいて記録媒体にドットを記録する記録素子を複数配列して構成される記録ヘッドを前記記録媒体に対して移動する記録主走査と、該記録主走査と交差する方向に前記記録媒体を搬送する副走査とを繰り返すことにより前記記録媒体の同一画像領域に対し複数回の前記記録主走査を行うことによって画像を形成するインクジェット記録方法において、前記画像データより、ドットの記録密度情報を検知する工程と、該記録密度情報に応じて、前記記録主走査の走査速度および前記記録媒体の前記同一画像領域に対する前記記録主走査の走査回数を設定する設定工程と、設定された前記走査速度および前記走査回数に従って前記記録媒体に画像を記録する程と、を有し、前記設定工程は、前記記録密度情報の値が大きいほど前記走査回数を多く且つ前記走査速度を大きく設定することを特徴とする。
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
画像データに基づいてインクを吐出する記録素子が複数配列して構成される記録素子列を同色インクについて複数列備えた記録ヘッドを用い、該記録ヘッドを記録媒体に対して往路または復路に走査する記録主走査と、該記録主走査とは交差する方向に記録媒体を搬送する搬送動作とを繰り返すことにより、前記記録媒体に画像を形成するインクジェット記録方法であって、
前記画像データを割り振って、１回の前記記録主走査における前記複数の記録素子列それぞれに対応したインク吐出用のデータを生成するデータ生成工程と、
前記複数の記録素子列それぞれに対応した前記インク吐出用のデータに従って記録を行う工程と、
を有し、
前記データ生成工程では、前記同色のインクを吐出する複数の記録素子列のうち、前記記録主走査の進行方向前方に位置する記録素子列の吐出回数が後方に位置する記録素子列の吐出回数より少なくなるように、前記画像データを割り振ることを特徴とするインクジェット記録方法。
【請求項２】
前記記録走査は前記記録ヘッドの往路および復路の走査で実行され、往路の前記記録走査および復路の前記記録走査のいずれにおいても、前記同色のインクを吐出する複数の記録素子列のうち、前記記録主走査の進行方向前方に位置する記録素子列の吐出回数が後方に位置する記録素子列の吐出回数より少なくなるように、前記画像データを割り振ることを特徴とする請求項１に記載のインクジェット記録方法。
【請求項３】
前記画像データから得られる画像濃度に応じて前記複数の記録素子列間における前記吐出回数の偏りの程度が異なるように、前記画像データを割り振ることを特徴とする請求項１または２に記載のインクジェット記録方法。
【請求項４】
前記記録ヘッドは、同色インクを吐出する複数の記録素子列を複数のインク色分備えており、前記同色インクを吐出する複数の記録素子列間における前記吐出回数の偏りの程度は、当該記録素子列に隣接する異色インクの記録素子列の吐出回数に応じて異なることを特徴とする請求項１乃至３の何れかに記載のインクジェット記録方法。
【請求項５】
前記データ生成工程において、前記画像データは、多値の状態で、前記同色のインクを吐出する複数の記録素子列に割り振られることを特徴とする請求項１乃至４のいずれかに記載のインクジェット記録方法。
【請求項６】
前記データ生成工程において、前記画像データは、２値の状態で、前記同色のインクを吐出する複数の記録素子列に割り振られることを特徴とする請求項１乃至４の何れかに記載のインクジェット記録方法。
【請求項７】
個々の記録画素に対する前記記録素子からのインクの吐出と非吐出を多値の出力レベルに対応させて定めたＩＮＤＥＸパターンを複数用意し、前記データ生成工程では、該複数のＩＮＤＥＸパターンからの選択および設定により、前記画像データを割り振ることを特徴とする請求項６に記載のインクジェット記録方法。
【請求項８】
画像データに基づいてインクを吐出する記録素子が複数配列して構成される記録素子列を同色インクについて複数列備えた記録ヘッドを用い、該記録ヘッドを記録媒体に対して往路または復路に走査する記録主走査と、該記録主走査とは交差する方向に記録媒体を搬送する搬送動作とを繰り返すことにより、記録媒体に画像を形成するインクジェット記録装置であって、
前記画像データを割り振って、１回の前記記録主走査における前記複数の記録素子それぞれに対応したインク吐出用のデータを生成するデータ生成手段と、
前記複数の記録素子列それぞれに対応した前記インク吐出用のデータに従って記録を行う手段と、
を備え、前記データ生成手段は、前記同色のインクを吐出する複数の記録素子列のうち、前記記録主走査の進行方向前方に位置する記録素子列の吐出回数が後方に位置する記録素子列の吐出回数より少なくなるように、前記画像データを割り振ることを特徴とするインクジェット記録装置。
【手続補正２】
【補正対象書類名】明細書
【補正対象項目名】００１３
【補正方法】変更
【補正の内容】
【００１３】
そのために本発明においては、画像データに基づいてインクを吐出する記録素子が複数配列して構成される記録素子列を同色インクについて複数列備えた記録ヘッドを用い、該記録ヘッドを記録媒体に対して往路または復路に走査する記録主走査と、該記録主走査とは交差する方向に記録媒体を搬送する搬送動作とを繰り返すことにより、前記記録媒体に画像を形成するインクジェット記録方法であって、前記画像データを割り振って、１回の前記記録主走査における前記複数の記録素子列それぞれに対応したインク吐出用のデータを生成するデータ生成工程と、前記複数の記録素子列それぞれに対応した前記インク吐出用のデータに従って記録を行う工程と、を有し、前記データ生成工程では、前記同色のインクを吐出する複数の記録素子列のうち、前記記録主走査の進行方向前方に位置する記録素子列の吐出回数が後方に位置する記録素子列の吐出回数より少なくなるように、前記画像データを割り振ることを特徴とする。
【手続補正３】
【補正対象書類名】明細書
【補正対象項目名】００１４
【補正方法】変更
【補正の内容】
【００１４】
また、画像データに基づいてインクを吐出する記録素子が複数配列して構成される記録素子列を同色インクについて複数列備えた記録ヘッドを用い、該記録ヘッドを記録媒体に対して往路または復路に走査する記録主走査と、該記録主走査とは交差する方向に記録媒体を搬送する搬送動作とを繰り返すことにより、記録媒体に画像を形成するインクジェット記録装置であって、前記画像データを割り振って、１回の前記記録主走査における前記複数の記録素子それぞれに対応したインク吐出用のデータを生成するデータ生成手段と、前記複数の記録素子列それぞれに対応した前記インク吐出用のデータに従って記録を行う手段と、を備え、前記データ生成手段は、前記同色のインクを吐出する複数の記録素子列のうち、前記記録主走査の進行方向前方に位置する記録素子列の吐出回数が後方に位置する記録素子列の吐出回数より少なくなるように、前記画像データを割り振ることを特徴とする。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
複数の印刷ユニット（８）または塗工ユニット（９）と乾燥装置とを備える枚葉紙印刷機（１）において印刷または塗工された枚葉紙を乾かす方法において、
枚葉紙が前記乾燥装置（１０，１１）へ進入する前にすでに周囲温度を上回る温度まで加熱されることを特徴とする、枚葉紙印刷機において印刷または塗工された枚葉紙を乾かす方法。
【請求項２】
前記枚葉紙が前記枚葉紙印刷機の前記印刷ユニット（８ａ−８ｆ）が有している温度を上回る温度まで加熱される、請求項１に記載の方法。
【請求項３】
前記枚葉紙が３２℃を上回る温度まで加熱される、請求項１または２に記載の方法。
【請求項４】
前記枚葉紙が２５℃から５０℃の間の温度まで加熱される、請求項１または２に記載の方法。
【請求項５】
前記枚葉紙が３２℃から４５℃の間の温度まで加熱される、請求項１または２に記載の方法。
【請求項６】
前記枚葉紙が前記印刷ユニットまたは前記塗工ユニット（９ａ，９ｂ）において、加熱された圧胴との接触によって加熱される、請求項１から５までのいずれか１項に記載の方法。
【請求項７】
前記枚葉紙が枚葉紙進行方向に見て前記乾燥装置の手前に配置された最後の印刷ユニットの圧胴によって加熱される、請求項６に記載の方法。
【請求項８】
前記枚葉紙が枚葉紙進行方向に見て前記乾燥装置の手前に配置された塗工ユニット（９ａ，９ｂ）の圧胴（１４ａ，１４ｂ）によって加熱される、請求項６に記載の方法。
【請求項９】
前記枚葉紙が枚葉紙搬送経路にある別の胴によって追加的に加熱される、請求項６から８に記載の方法。
【請求項１０】
前記枚葉紙がすでに給紙台（１２）の上で追加的に加熱される、請求項６から８に記載の方法。
【請求項１１】
複数の印刷ユニット（８ａ−８ｆ）または塗工ユニット（９ａ，９ｂ）と、枚葉紙に印刷されたインキ層または塗工層を熱で乾かすための乾燥装置（１０ａ，１１ａ，１１ｂ）とを備える枚葉紙印刷機（１）において、
枚葉紙進行方向に見て前記乾燥装置の手前に配置された最後の印刷ユニットまたは塗工ユニット（９ａ，９ｂ）が加熱可能な圧胴を有しており、その動作温度は、前記圧胴から出ていく枚葉紙が前記乾燥装置（１０ａ，１１）へ進入するときに周囲温度を上回る温度まで加熱されるように選択されていることを特徴とする枚葉紙印刷機。
【請求項１２】
別の印刷ユニットまたは塗工ユニットに別の加熱可能な胴を有している、請求項１１に記載の印刷機。
【請求項１３】
加熱可能な給紙台（１１２）を有している、請求項１１に記載の印刷機。
【請求項１４】
前記の加熱可能な圧胴（１４ａ，１４ｂ）の動作温度は前記印刷機にある枚葉紙を運ぶ他の胴（４，５）の温度を上回っている、請求項１１から１３までのいずれか１項に記載の印刷機。
【請求項１５】
前記圧胴の動作温度は４０℃から８０℃までの範囲内にあり、特に４５℃から６５℃までの範囲内にある、請求項１４に記載の印刷機。
【請求項１６】
前記乾燥装置は熱風乾燥機と赤外放射乾燥機の少なくとも一方である、請求項１１に記載の印刷機。
【請求項１７】
前記乾燥装置（１０ａ，１１）の排気が供給され、かつ前記の加熱可能な圧胴と接続された熱交換器（２３）を有している、請求項１１から１６までのいずれか１項に記載の印刷機。
【請求項１８】
前記熱交換器（２３）によって加熱された流体が前記の加熱可能な圧胴を貫流する、請求項１７に記載の印刷機。
【請求項１９】
前記枚葉紙の温度は、該温度が、前記乾燥装置（１０ａ，１１）において設定された熱風温度のときに表面が湿潤した枚葉紙に生じる定常温度の付近にあるように、前記の加熱可能な圧胴の温度を通じて調整される、請求項６から１０までのいずれか１項に記載の方法。
【手続補正書】
【提出日】平成21年12月14日(2009.12.14)
【手続補正１】
【補正対象書類名】特許請求の範囲
【補正対象項目名】請求項１
【補正方法】変更
【補正の内容】
【請求項１】
複数の記録要素と前記複数の記録要素を駆動する複数の駆動素子とを備え、前記複数の駆動素子を時分割駆動して前記複数の記録要素により記録を行う記録ヘッドであって、
記録信号をクロック信号に同期して入力するシフトレジスタと、
前記シフトレジスタに入力された記録信号をラッチ信号に同期してラッチするラッチ回路と、
前記複数の駆動素子を駆動するためのイネーブル信号パルスの入力に同期して、前記シフトレジスタへの前記記録信号と前記クロック信号の入力と前記ラッチ回路へのラッチ信号の入力とを抑止する抑止回路とを有することを特徴とする記録ヘッド。
【手続補正２】
【補正対象書類名】特許請求の範囲
【補正対象項目名】請求項５
【補正方法】変更
【補正の内容】
【請求項５】
前記トライステートバッファはイネーブル信号パルスのオン・オフに同期してオン・オフとなる立上がり時間の速い特性をもっていることを特徴とする請求項４に記載の記録ヘッド。
【手続補正３】
【補正対象書類名】特許請求の範囲
【補正対象項目名】請求項６
【補正方法】変更
【補正の内容】
【請求項６】
前記トライステートバッファは前記イネーブル信号パルスがオンであるときには、前記記録信号と前記クロック信号と前記ラッチ信号とを供給する信号線をオフにすることを特徴とした請求項５に記載の記録ヘッド。
【手続補正４】
【補正対象書類名】明細書
【補正対象項目名】００２２
【補正方法】変更
【補正の内容】
【００２２】
即ち、複数の記録要素と前記複数の記録要素を駆動する複数の駆動素子とを備え、前記複数の駆動素子を時分割駆動して前記複数の記録要素により記録を行う記録ヘッドであって、記録信号をクロック信号に同期して入力するシフトレジスタと、前記シフトレジスタに入力された記録信号をラッチ信号に同期してラッチするラッチ回路と、前記複数の駆動素子を駆動するためのイネーブル信号パルスの入力に同期して、前記シフトレジスタへの前記記録信号と前記クロック信号の入力と前記ラッチ回路へのラッチ信号の入力とを抑止する抑止回路とを有することを特徴とする。
【手続補正書】
【提出日】平成21年12月8日(2009.12.8)
【手続補正１】
【補正対象書類名】明細書
【補正対象項目名】００１４
【補正方法】変更
【補正の内容】
【００１４】
なお、船体２の対称面を一点鎖線（以下「船体中心面」と称す）２ｃで、プロペラ３の中心軸を一点鎖線（以下「プロペラ軸」と称す）３ｃで、筒状ダクト４の中心軸を一点鎖線（一点鎖線３ｃに一致している、以下「ダクト軸」と称す）４ｃで、水面の一例を実線（以下「水平面」と称す）１ｃで、それぞれ示している。
プロペラ３の直径が「Ｄｐ」のとき、筒状ダクト４の船尾側直径Ｄｎ（位置Ｃ−位置Ｄの距離）、筒状ダクト４の上側長さＬｄ（線分ＡＣの長さ）、筒状ダクト４の下側長さＬｂ（線分ＢＤの長さ）、および、筒状ダクト４の船首方向に拡径する割合（図中、線分ＡＣとダクト軸４ｃとのなす角度、線分ＢＤとダクト軸４ｃとのなす角度、以下「開き角度」と称す）θｄは周方向で一定であって、それぞれ以下の範囲にある。
０．４０×Ｄｐ≦Ｄｎ≦１．０×Ｄｐ
０．４０×Ｄｐ≦Ｌｄ≦１．０×Ｄｐ
０．０２×Ｄｐ≦Ｌｂ≦１．０×Ｄｐ
Ｌｂ≦Ｌｄ
５°≦θｄ≦２０°
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
｛０００１｝以外の任意に特定される面方位の主面を有するＩＩＩ族窒化物結晶の製造方法であって、
ＩＩＩ族窒化物バルク結晶から、前記特定される面方位の主面を有する複数のＩＩＩ族窒化物結晶基板を切り出す工程と、
前記基板の前記主面が互いに平行で、かつ、前記基板の［０００１］方向が同一になるように、横方向に前記基板を互いに隣接させて配置する工程と、
前記基板の前記主面上に、前記ＩＩＩ族窒化物結晶を成長させる工程と、を含むＩＩＩ族窒化物結晶の製造方法。
【請求項２】
前記特定される面方位は、｛１−１０Ｘ｝（ここで、Ｘは０以上の整数）、｛１１−２Ｙ｝（ここで、Ｙは０以上の整数）および｛ＨＫ−（Ｈ＋Ｋ）０｝（ここで、ＨおよびＫは０以外の整数）からなる群から選ばれるいずれかの結晶幾何学的に等価な面方位に対するオフ角が５°以下である請求項１に記載のＩＩＩ族窒化物結晶の製造方法。
【請求項３】
前記特定される面方位は、｛１−１００｝、｛１１−２０｝、｛１−１０２｝および｛１１−２２｝からなる群から選ばれるいずれかの結晶幾何学的に等価な面方位に対するオフ角が５°以下である請求項１に記載のＩＩＩ族窒化物結晶の製造方法。
【請求項４】
前記特定される面方位は、｛１−１００｝に対するオフ角が５°以下である請求項１に記載のＩＩＩ族窒化物結晶の製造方法。
【請求項５】
前記基板が互いに隣接する面の平均粗さＲａが、５０ｎｍ以下である請求項１から請求項４までのいずれかに記載のＩＩＩ族窒化物結晶の製造方法。
【請求項６】
前記ＩＩＩ族窒化物結晶を成長させる温度が、２０００℃以上である請求項１から請求項５までのいずれかに記載のＩＩＩ族窒化物結晶の製造方法。
【請求項７】
前記ＩＩＩ族窒化物結晶を成長させる方法が、昇華法である請求項１から請求項６までのいずれかに記載のＩＩＩ族窒化物結晶の製造方法。
【手続補正２】
【補正対象書類名】明細書
【補正対象項目名】００５１
【補正方法】変更
【補正の内容】
【００５１】
なお、実施例２においては、ＧａＮ結晶をその上に成長させる面である複数のＧａＮ結晶基板の主面の面方位がすべて（１−１００）であったが、少なくとも一部が（−１１００）（これは、（１−１００）と結晶幾何学的に等価である）となっていても同様の結果が得られた。
【手続補正３】
【補正対象書類名】明細書
【補正対象項目名】００８７
【補正方法】変更
【補正の内容】
【００８７】
【表１】
2008143772.tif 000001
【手続補正４】
【補正対象書類名】明細書
【補正対象項目名】０１０８
【補正方法】変更
【補正の内容】
【０１０８】
【表２】
2008143772.tif 000002
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
Ｓｉ、Ａｌ、ＭｇおよびＯを含有するガラスであって、Ｓｉを陽イオン％で４０％以上６０％以下、Ａｌを陽イオン％で１０％以上３５％以下、Ｍｇを陽イオン％で２０％以上３５％以下含有し、Ｓｉ、Ａｌ、Ｍｇの合計の陽イオン％が９９．５％以上であり、ＦｅおよびＮａの含有量がそれぞれ０．０１ｗｔｐｐｍ以下であり、かつ波長２４８ｎｍの光に対する透過率が厚さ５ｍｍで４０％以上であることを特徴とする光学ガラス。
【請求項２】
波長２４８ｎｍの光に対する屈折率が１．５６以上であることを特徴とする請求項１記載の光学ガラス。
【手続補正書】
【提出日】平成21年11月27日(2009.11.27)
【手続補正１】
【補正対象書類名】明細書
【補正対象項目名】０００６
【補正方法】変更
【補正の内容】
【０００６】
植物ステロール乳化物の噴霧乾燥物の水への分散性を高める目的で、分岐デキストリンを用いるのが良いと記述した文献もあるが（特許文献３）、一般に分岐デキストリンは、澱粉に液化酵素を作用させた際に得られるグルコースや低分子のオリゴ糖を除いた分岐部分を含んだデキストリンであり、澱粉本来の持つα1→4、α1→6グルコシド結合以外の結合様式は持たない。同じく、高度分岐環状デキストリンは、アミロペクチンのクラスター間をつなぐアミロース直鎖部分に枝作り酵素を作用させることにより、加水分解およびアミロペクチンクラスターへの転位により環状構造を形成させたもので（特許文献１２、１３）、澱粉が天然に持つα1→4、α1→6グルコシド結合以外の結合様式は持ち合わせていない。従って、これら分岐デキストリンは、ヒトのもつ消化酵素により消化（加水分解）される。さらに言及するならば、植物ステロールの粉末化にこれらの分岐デキストリンを使用した場合のバイオアベイラビリティに関する記載はない。
【手続補正２】
【補正対象書類名】明細書
【補正対象項目名】０００７
【補正方法】変更
【補正の内容】
【０００７】
一方、これらの分岐デキストリンとは異なる分岐構造をもつデキストリンとして、難消化性デキストリンが知られている（例えば特許文献８、９）。この難消化性デキストリンは、非消化性の水溶性食物繊維であることから、多様な飲食品に配合されて使用されている。さらに、造粒物の製造における結合剤として用いられることが知られているが（例えば特許文献１５）、植物ステロールの粉末化に使用されたことはない。
特許文献６には、植物ステロール含有粉末組成物に、その効果を損なわない範囲で食物繊維を加えてもよいとする記載があり、水溶性食物繊維としてポリデキストロースが例示されている。しかしながら、ポリデキストロースは化学合成品であり、米国では食品添加物扱いとなっている。また、過剰摂取により下痢を起こしやすいことが指摘されている。さらに、それを添加することによって得られる効果（例えば分散性やバイオアベイラビリティ）については言及されていない。  また、植物ステロールと食物繊維（特にβ‐グルカン）を添加した食品のコレステロール低下作用に相乗効果があるとする文献もある（特許文献１４）。しかしながら、これらを食品、特に飲料へ応用する場合は、水への分散性や粘性などの物理的特性が重要な課題として残る。
【手続補正３】
【補正対象書類名】明細書
【補正対象項目名】０００８
【補正方法】変更
【補正の内容】
【０００８】
【特許文献１】特再表２００３−０４７３５９号公報
【特許文献２】特許第３５３５１４７号
【特許文献３】特開２００５−２６９９４１号公報
【特許文献４】特表２００５−５２１３９７号公報
【特許文献５】特許第２６６２９３０号
【特許文献６】特開２００４−７５５４１号公報
【特許文献７】特表２００５−５２９１０９号公報
【特許文献８】特開平２−１４５１６９号公報
【特許文献９】特開平２−１５４６６４号公報
【特許文献１０】特開平１１−１９６７８５号公報
【特許文献１１】特開平１１-１９３２２９号公報
【特許文献１２】特開２００３−０４９１８９号公報
【特許文献１３】特開２００３−０４９１９０号公報
【特許文献１４】特開２００４−５１９２５４号公報
【特許文献１５】特開２００３−２５０４７９号公報
【非特許文献１】Am. J. Clin. Nutr., 80, 171-177(2004)
【誤訳訂正書】
【提出日】平成22年8月2日(2010.8.2)
【誤訳訂正１】
【訂正対象書類名】特許請求の範囲
【訂正対象項目名】全文
【訂正方法】変更
【訂正の内容】
【特許請求の範囲】
【請求項１】
表面および表面パターンを有する位相シフトマスク（基板）と、前記表面パターンにより定められるパターンにおいて光の位相を変化させるように波長λおよび強度Ｉ０の光と相互作用するための表面と、を有する装置において、前記表面と相互作用した後の光強度は、少なくとも一部が前記表面パターンにより引き起こされた位相変化により定められ、
前記位相変化は、連続的な変化であり、かつ、
前記光が、前記表面が像平面上に像を形成するように、開口数（Ｎ．Ａ．）を有するリソグラフィーシステムのレンズを通過すると、像平面に像を形成する光強度は、複数の点の像を有し、各々の点の像は、強度Ｉｍｉｎの最小強度を有し、前記最小強度を取り囲む環状領域の全体を通じて、Ｉｍｉｎとの強度差が、ホールパターンの形成に必要な強度差となるような大きな強度を有する環状領域によって取り囲まれており、最小強度の全幅はλ／２・Ｎ．Ａ．未満である装置。
【誤訳訂正２】
【訂正対象書類名】明細書
【訂正対象項目名】００１５
【訂正方法】変更
【訂正の内容】
【００１５】
（発明の詳細な説明）
図２は、本発明の好ましい態様を示す斜視図である。位相シフトマスク基板の平らな表面２０は、その上にエッチングされた特徴部分２１を有する。特徴部分２１の円形縁２２は、表面２０へのカッティングを示す。図は、中心線２５の周りを廻るらせん状のスロープ２３を示す。スロープは、位相シフトマスク基板のオリジナルの表面２０において、オリジナルの表面２０において生じる位相シフトに対して、位相シフトが０°である線２４から始まり、中心線２５の周りを時計回りに進む。スロープは、カットの深さに従って、位相シフトマスク上に当たる光に位相シフトを与える。最初の表面２０に対して位相シフトが９０°、１８０°、２７０°、および３６０°を図に印を付けた箇所に示す。位相シフトは、中心線２５が位相シフトマスク基板の表面２１と交差する点に対応する点において光が深い最小強度を有する、特徴部分２１に対応する光パターンを形成する。らせん状のスロープの１つの領域から他の領域への鋭い位相変化はないので、交差点を囲む領域には暗い線は形成されず、らせん状スロープ２３の底２６とらせん状のスロープの頂部２４との間の鋭い位相変化は３６０°であり、これも暗い線を形成しない。縁２２は、最初の表面２０とスロープ２３との間の位相シフトが１８０°に近いとき、照度パターン中に暗い線を形成する。得られた未露光フォトレジストは、後の工程において露光されてもよい。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
（１）後記室内熱交換器に空気を送る送風機と；
該送風機から送られた空気と「圧縮性流体である冷媒１」とを熱交換させる室内熱交換器と；
を備え、人が個人又は集団で生活する建屋（以下、生活用建屋と略記する）の内部に設けられる室内機ユニットと、
（２）前記冷媒１と「水、水溶液又はその他の不凍液である熱源媒体１」とを熱交換させる室外熱交換器１と、
（３）前記生活用建屋から排出される生活排水、及び／又は、生活用建屋に落下する雨水（以下、生活排水・雨水と略記する）を集めて後記貯留水槽に供給する、排水・雨水収集供給系統と、
（４）前記排水・雨水収集供給系統から供給される生活排水・雨水、又は、該生活排水・雨水と水道水や井戸水等の生活用水（以下、生活用水と略記する）とを受け入れて貯留する貯留水槽であって、
前記生活排水・雨水、又は、前記生活用水・雨水と生活用水との混合水と前記熱源媒体１とを熱交換させる槽内熱交換器１と；
前記生活排水・雨水又は該混合水を下水道配管に放流するための放流手段と；
を備える貯留水槽と、
（５）前記冷媒１を前記室内熱交換器と前記室外熱交換器１との間で循環させるとともに、循環経路中に圧縮機構と膨張機構を備えた冷媒循環系統１と、
（６）前記熱源媒体１を前記室外熱交換器１と前記槽内熱交換器１との間で循環させる熱源媒体循環系統１と、
を備えることを特徴とするヒートポンプ式空気調和システム。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
外部の回路と電気的に接続するための端子電極が内表面に形成された下透明基板と、
保護用電極が外表面に形成された上透明基板と、
前記上透明基板の内表面と前記下透明基板の内表面が対向するとともに、前記端子電極が露出する端子部が形成されるように、前記上透明基板と前記下透明基板を固定するシールと、
前記シールの内側の、前記上透明基板と下透明基板の間に封入された液晶と、
前記下透明基板の内表面に、前記シールの外側に露出するように形成された放電用電極を備え、
前記上透明基板の外表面と、前記端子部の側ではない前記上透明基板の端面と、前記シールの外側の前記上透明基板と下透明基板の内表面の間に導電材を設けることにより、前記保護用電極と前記放電用電極を電気的に接続したことを特徴とする液晶表示装置。
【請求項２】
前記液晶は、横電界方式により駆動されることを特徴とする請求項１に記載の液晶表示装置。
【請求項３】
前記保護用電極が、粘着性材料に導電性粒子を混入させた透光性導電層であることを特徴とする請求項１または２に記載の液晶表示装置。
【請求項４】
上透明基板と、内表面に放電用電極と端子電極を形成した下透明基板を、互いの内表面が対向するようにシールを介して貼り合わせて液晶セルを形成する第一工程と、
前記上透明基板の外表面に保護用電極を形成する第二工程と、
前記上透明基板の外表面の一部と前記液晶セルの端面に導電材を設ける第三工程を有することにより、前記保護用電極と前記放電用電極を電気的に接続することを特徴とする液晶表示装置の製造方法。
【請求項５】
前記第二工程が、前記第三工程の後で行われることを特徴とする請求項４に記載の液晶表示装置の製造方法。
【請求項６】
前記第三工程において、前記液晶セルの端面を導電性粒子が分散された溶液に浸漬することにより前記液晶セルの端面に導電材を設けることを特徴とする請求項４または５に記載の液晶表示装置の製造方法。
【請求項７】
前記第三工程において、前記液晶セルの端面に導電性ペーストをディスペンサーで供給することにより前記液晶セルの端面に導電材を設けることを特徴とする請求項４または５に記載の液晶表示装置の製造方法。
【請求項８】
前記第三工程が、前記液晶セルの一つの端面の所定領域に導電性粒子を付着させる工程と、前記液晶セルを焼成し、前記上透明基板の側面と前記シールの側面に導電材を形成する工程であることを特徴とする請求項４または５に記載の液晶表示装置の製造方法。
【請求項９】
前記第三工程において、複数の前記液晶セルを保持器具に装着し、前記各液晶セルの一つの端面の所定領域に導電性粒子を同時に付着させることを特徴とする請求項８に記載の液晶表示装置の製造方法。
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
基板上に形成され、複数の受光部と複数のアノード領域と複数のカソード領域を含む光センサーと、
前記光センサーに前記基板周辺の外光を取り入れるための受光開口部を備えた半導体装置であって、
前記光センサーは、前記受光部が前記アノード領域と前記カソード領域に平面的に挟まれて構成され、前記受光部と前記アノード領域との接合面および前記受光部と前記カソード領域との接合面を有した複数のフォトダイオードからなる
ことを特徴とする半導体装置。
【請求項２】
前記受光部、前記アノード領域および前記カソード領域は、同一のポリシリコン薄膜から構成され、それぞれ、ドープ濃度の違いにより分離される
ことを特徴とする請求項１に記載の半導体装置。
【請求項３】
前記受光部と前記アノード領域との接合面および前記受光部と前記カソード領域との接合面は、平面的に前記受光開口部の短軸方向に対して平行になるように形成される
ことを特徴とする請求項１に記載の半導体装置。
【請求項４】
前記受光部と前記受光開口部の間に遮光性の金属が存在しない
ことを特徴とした請求項１に記載の半導体装置。
【請求項５】
前記アノード領域または前記カソード領域と前記受光開口部の間に遮光性の金属が存在しない
ことを特徴とした請求項４に記載の半導体装置。
【請求項６】
前記光センサーは、前記複数のフォトダイオードが並列に接続されてなる
ことを特徴とする請求項１に記載の半導体装置。
【請求項７】
前記複数のアノード領域および前記複数のカソード領域は、それぞれ束ねられ、前記受光開口部と重なる領域で、それぞれの配線に接続される
ことを特徴とする請求項６に記載の半導体装置。
【請求項８】
請求項２から請求項７のいずれか一項に記載の半導体装置を用いた表示装置。
【請求項９】
請求項８に記載の表示装置を用いた電子機器。
【手続補正２】
【補正対象書類名】明細書
【補正対象項目名】発明の名称
【補正方法】変更
【補正の内容】
【発明の名称】半導体装置、表示装置および電子機器
【手続補正３】
【補正対象書類名】明細書
【補正対象項目名】０００１
【補正方法】変更
【補正の内容】
【０００１】
本発明は、例えば、光センサーを備えた半導体装置、この半導体装置を用いた表示装置およびこの表示装置を備える電子機器に関する。
【手続補正４】
【補正対象書類名】明細書
【補正対象項目名】０００６
【補正方法】変更
【補正の内容】
【０００６】
本発明の半導体装置は、基板上に形成され、複数の受光部と複数のアノード領域と複数のカソード領域を含む光センサーと、前記光センサーに前記基板周辺の外光を取り入れるための受光開口部を備えた半導体装置であって、前記光センサーは、前記受光部が前記アノード領域と前記カソード領域に平面的に挟まれて構成され、前記受光部と前記アノード領域との接合面および前記受光部と前記カソード領域との接合面を有したフォトダイオードからなることを特徴とする。このように構成すると、フォトダイオードを櫛歯状に形成して面積あたりの接合面面積を増やすことが出来るので光電流量を増大させることができ、受光部に挟まれたアノード領域・カソード領域に金属配線がないために角度依存性がないフォトダイオードを備えた光センサーを実現できる。
【手続補正５】
【補正対象書類名】明細書
【補正対象項目名】０００７
【補正方法】変更
【補正の内容】
【０００７】
また、前記受光部、前記アノード領域および前記カソード領域は、同一のポリシリコン薄膜から構成され、それぞれ、ドープ濃度の違いにより分離されることを特徴とする。この構成により、容易に、フォトダイオードを櫛歯状に形成して面積あたりの接合面面積を増やすことができ光電流量を増大させることができ、角度依存性がないフォトダイオードを備えた光センサーを実現できる。また、本発明の半導体装置は、前記受光部と前記アノード領域との接合面および前記受光部と前記カソード領域との接合面は、平面的に前記受光開口部の短軸方向に対して平行になるように形成されることを特徴とする。このように構成すると、金属を使わないことでアノード領域・カソード領域の比抵抗が上がっても、抵抗による電位変化が無視できる程度に影響を抑えることができる。
【手続補正６】
【補正対象書類名】明細書
【補正対象項目名】０００８
【補正方法】変更
【補正の内容】
【０００８】
また、前記受光部と前記受光開口部の間に遮光性の金属が存在しないことを特徴とする。この構成により、開口部と受光層の間に金属配線が全く無いので、さらに角度依存性に優れる。また、前記アノード領域または前記カソード領域と前記受光開口部の間に遮光性の金属が存在しないことを特徴とする。この構成により、さらに角度依存性に優れる。また、前記光センサーは、前記複数のフォトダイオードが並列に接続されてなることを特徴とする。この構成により、光センサーの光電流量を増大させることができ、さらに角度依存性に優れる。また、前記複数のアノード領域および前記複数のカソード領域は、それぞれ束ねられ、前記受光開口部と重なる領域で、それぞれの配線に接続されることを特徴とする。この構成により開口部と受光層との間に遮光性の金属が存在しないように配線を接続することができ、さらに角度依存性に優れる。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
セルロースナノファイバーを含有するアセチル化セルロースからなる組成物を含有することを特徴とする光学フィルム。
【請求項２】
前記セルロースナノファイバーを０．１から５０質量％含有するアセチル化セルロースからなる組成物を含有することを特徴とする請求項１に記載の光学フィルム。
【請求項３】
前記セルロースナノファイバーがパルプを解砕したものであることを特徴とする請求項１または２に記載の光学フィルム。
【請求項４】
前記セルロースナノファイバーが竹繊維を解砕したものであることを特徴とする請求項１または２に記載の光学フィルム。
【請求項５】
請求項１〜４のいずれか１項に記載の光学フィルムを溶液キャスト法で製膜することを特徴とする光学フィルムの製造方法。
【請求項６】
前記セルロースナノファイバーを含有する分散液を調製し、次いで該分散液をアセチル化セルロースの溶液に添加することを特徴とする請求項５項に記載の光学フィルムの製造方法。
【請求項７】
前記アセチル化セルロースの溶液を２回以上に分割してキャストすることを特徴とする請求項６項に記載の光学フィルムの製造方法。
【請求項８】
請求項１〜４のいずれか１項に記載の光学フィルムを少なくとも一方の面に用いたことを特徴とする偏光板。
【請求項９】
請求項８に記載の偏光板を用いたことを特徴とする液晶ディスプレイ。
【手続補正２】
【補正対象書類名】明細書
【補正対象項目名】０００８
【補正方法】変更
【補正の内容】
【０００８】
１．セルロースナノファイバーを含有するアセチル化セルロースからなる組成物を含有することを特徴とする光学フィルム。
【手続補正３】
【補正対象書類名】明細書
【補正対象項目名】０００９
【補正方法】変更
【補正の内容】
【０００９】
２．前記セルロースナノファイバーを０．１から５０質量％含有するアセチル化セルロースからなる組成物を含有することを特徴とする前記１に記載の光学フィルム。
【手続補正４】
【補正対象書類名】明細書
【補正対象項目名】００１０
【補正方法】変更
【補正の内容】
【００１０】
３．前記セルロースナノファイバーがパルプを解砕したものであることを特徴とする前記１または２に記載の光学フィルム。
【手続補正５】
【補正対象書類名】明細書
【補正対象項目名】００１１
【補正方法】変更
【補正の内容】
【００１１】
４．前記セルロースナノファイバーが竹繊維を解砕したものであることを特徴とする前記１または２に記載の光学フィルム。
【手続補正６】
【補正対象書類名】明細書
【補正対象項目名】００１２
【補正方法】変更
【補正の内容】
【００１２】
５．前記１〜４のいずれか１項に記載の光学フィルムを溶液キャスト法で製膜することを特徴とする光学フィルムの製造方法。
【手続補正７】
【補正対象書類名】明細書
【補正対象項目名】００１３
【補正方法】変更
【補正の内容】
【００１３】
６．前記セルロースナノファイバーを含有する分散液を調製し、次いで該分散液をアセチル化セルロースの溶液に添加することを特徴とする前記５項に記載の光学フィルムの製造方法。
【手続補正８】
【補正対象書類名】明細書
【補正対象項目名】００１４
【補正方法】変更
【補正の内容】
【００１４】
７．前記アセチル化セルロースの溶液を２回以上に分割してキャストすることを特徴とする前記６項に記載の光学フィルムの製造方法。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
８．前記１〜４のいずれか１項に記載の光学フィルムを少なくとも一方の面に用いたことを特徴とする偏光板。
【手続補正１１】
【補正対象書類名】明細書
【補正対象項目名】００１７
【補正方法】変更
【補正の内容】
【００１７】
９．前記８に記載の偏光板を用いたことを特徴とする液晶ディスプレイ。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
複数の撮像ヘッドを備え、被測定試料に形成されたパターンの寸法を測定するためのレシピ作成部を備え、該作成されたレシピに基づいて、上記複数の撮像ヘッドのいずれかで撮像して得られる画像信号から該被測定試料に形成されたパターンの寸法を測定する寸法測定装置において、
上記レシピ作成部は、同じ被測定試料の同じ測定エリアを上記複数の撮像ヘッドで撮像して得られる画像信号に基づいてそれぞれ寸法を測定し、測定されたパターンの寸法が各撮像ヘッドの間で同一になるように各撮像ヘッドによる制御パラメータを変更するようにしてレシピを作成することを特徴とする寸法測定装置。
【請求項２】
被測定試料に形成されたパターンを撮像する撮像ヘッドを複数備えたマルチ撮像ヘッド方式の寸法測定装置であって、
上記被測定試料の基板上に形成された上記パターンを用いて、各撮像ヘッドの顕微鏡カメラで撮像して得られる画像信号に基づいて測定された上記パターンの測定値が、各撮像ヘッド毎の違いによらず、各撮像ヘッドの間で実質的に同一になるように各撮像ヘッド毎の制御パラメータを設定するレシピ作成部を備えたことを特徴とする寸法測定装置。
【請求項３】
被測定試料に形成されたパターンを撮像する顕微鏡カメラを備えた撮像ヘッドを複数備えたマルチ撮像ヘッド方式の寸法測定装置におけるレシピ作成方法であって、
上記被測定試料に形成された上記パターンについて第１の撮像ヘッドの顕微鏡カメラで複数回繰返して撮像して得られた複数の第１の画像信号に基づいて上記パターンの寸法の複数の第１の測定値を集計し、該集計された第１の集計値の再現性および測定ミスが規定値以内であるか確認して上記規定値以内であれば上記複数の第１の測定値から平均値を算出して基準値とする基準値作成過程と、上記被測定試料と同一のパターンについて第２の撮像ヘッドの顕微鏡カメラで複数回繰返して撮像して得られた複数の第２の画像信号に基づいて上記パターンの寸法の複数の第２の測定値を集計し、該集計された第２の集計値において再現性および測定ミスが規定値以内であるか確認して上記規定値以内であれば前記複数の第２の測定値の平均値を算出し、該算出された複数の第２の測定値の平均値と上記基準値との差を計算し、該計算された差を上記第１の撮像ヘッドを基準にした上記第２の撮像ヘッドに対するオフセット値として設定するレシピ作成過程とを有することを特徴とする寸法測定装置におけるレシピ作成方法。